(57)【要約】      （修正有）【課題】空気清浄機能を有する薄型で設置が容易で現状のパーテイションパネルの寸法、形状を大きく変えることなく、強力で優れた悪臭物質の捕集、分解を備えたパーティション、その他間仕切りパネルを提供するものである。【解決手段】パーティションパネルに空気の入口と出口をつけ、その内部空間を通路として、両側に多孔質炭素繊維を綿状または不織布状に加工した吸着素材を配置する。室内の空気は、このパーティションの中を通過する事により、悪臭物質および菌類の捕集が達成される。また、多孔質炭素繊維にチタン酸化物光触媒を付け、パネル内中央にUVランプを備えることにより、悪臭物質の捕集および分解と菌類の捕集および殺菌を可能とする。【選択図】図２
0003118531.tif 000002
【実用新案登録請求の範囲】
【請求項１】
綿状または不織布状に加工した多孔質炭素繊維フィルターを、空気の入り口と出口の付いたパーティションパネル内の対となる壁面に設置し、その間の空間に室内空気を通過させることにより、悪臭物質および菌類の捕集を可能なことを特徴とする装置。
【請求項２】
前記多孔質炭素繊維フィルターにチタン酸化物光触媒物質が担持され、光触媒機能を発揮するためのUVランプを組み合わせて、チタン酸化物光触媒を付けた綿状または不織布状の多孔質炭素繊維フィルターによって、悪臭物質の捕集および分解と菌類の捕集および殺菌を可能なことを特徴とする装置。
【請求項３】
綿状または不織布状の、請求項１の多孔質炭素繊維フィルターおよび２のチタン酸化物光触媒を担持させた多孔質炭素繊維フィルターが脱着可能であり、吸着能力飽和時にUVランプや太陽光の紫外線照射や洗浄による再生が可能なことを特徴とする装置。
【考案の詳細な説明】
【技術分野】
【０００１】
本考案は、空気清浄機能を有するパーティションその他間仕切りパネルなどであって、空気清浄機能を有するものに関する。
【背景技術】
【０００２】
近年、環境問題の高まりと同時に、室内空気の清浄化に多くの関心が高まり種々の空気清浄機が開発されている。しかし、空気清浄機はスペースを取るなどの問題があり、例えば、オフィス空間の個別化のために多用されている空間を仕切るパーティションへの空気清浄機能の活用は形態的に内部空間に制限があるために、実用的な空気清浄機付きと言える物は無かった。
【０００３】
本考案は、上記背景を元になされたもので、薄型で設置が容易で、現状のパーティションパネルの寸法、形状を大きく変えることなく、強力で優れた悪臭物質の捕集、分解を備えたパーティションパネルの提供を目的としている。
【考案の開示】
【考案が解決しようとする課題】
【０００４】
悪臭物質および菌類の捕集をさせるために、請求項１記載の考案は、多孔質炭素繊維を綿状または不織布状に加工した吸着素材を、空気の入り口と出口のついたパーティションパネルの対となる壁面に設置し、その間の空間に室内空気を通過させることにより、悪臭物質および菌類の捕集を可能とすることを特徴とする装置である。
【０００５】
この装置では、空気取り入れ口から入った空気は、多孔質炭素繊維を綿状または不織布状に加工した吸着素材の間を通る事により、悪臭物質は多孔質炭素繊維に吸着される。そして清浄化された空気は、送風機を通り、吹出口から室内に循環される。
【０００６】
請求項２記載の考案は、請求項１記載の空気清浄機能付仕切パネルにおいて、前記多孔質炭素繊維にチタン酸化物光触媒が担持されていることを特徴とするものである。
【０００７】
この構成によれば、前記多孔質炭素繊維は、悪臭および菌類を分解できる光触媒物質を担持していれば好ましく、優れた脱臭および太陽光やブラックライトに含まれる紫外線を照射することにより殺菌能力を得ることができる。光触媒物質の担持は、多孔質炭素繊維に担持させてもよいし、多孔質炭素繊維を綿状または不織布状にしてから担持させてもよい。
【０００８】
請求項２の装置において光触媒機能を発揮するためのUVランプなどを組み合わせて、多孔質炭素繊維によって吸着された悪臭物質は、UVランプから発生する紫外線と多孔質炭素繊維の持つ光触媒作用により分解され、長期間にわたり高い脱臭能力を維持することができ、多孔質炭素繊維フィルター自体の交換回数が少なくてすむ。なお、UVランプの配置は空気の流れに対して縦方向でも横方向でもよい。また、UVランプは紫外線を発するものであれば、ブラックライト、殺菌灯、冷陰極ランプのいずれでもよい。
【０００９】
請求項３記載の考案は、請求項１の多孔質炭素繊維および請求項２のチタン酸化物光触媒を担持させた多孔質炭素繊維が脱着可能である事を特徴とする。この構成によれば、吸着能力飽和時にUVランプあるいは太陽光の紫外線照射や洗浄による再生が可能であり、パネル本体にUVランプを設置する必要が無い。また、過飽和状態で光触媒が酸化物などの触媒毒で能力が阻害されても、水洗浄で溶出させ、再度光触媒として再生させることができる。
【課題を解決するための手段】
【００１０】
上記目的を達成するためには、悪臭物質の捕集と分解に優れた光触媒の使用がポイントとなる。
【００１１】
光触媒については、チタン酸化物を利用した物をはじめとして、その報告は無数と言えるほどよく知られている。しかしながら本考案で使用する光触媒多孔質炭素繊維は、光触媒機能を有するチタン酸化物を吸着機能を有する多孔質炭素繊維に担持させたもので、従来の光触媒製品とは異なり、炭素繊維に特殊な処理を施す事により多孔質化し、吸着と光触媒による分解機能を同時に有している。
【００１２】
このために、悪臭物質は、まず多孔質炭素繊維に吸着され、次に光を照射されて分解される。このとき、悪臭物質は、吸着が先行するために、多孔質炭素繊維表面で濃い濃度となり、そのために有効に分解が進むことが予測される。事実、通常の光触媒より高い効果を有するために、パーティションパネルのような狭い空間においても光触媒多孔質炭素繊維を使用する事で高機能性を有することを特徴としている。
【特許文献１】特開平１７−５２７１３号公報
【考案の効果】
【００１３】
請求項１記載の考案では、空気中の悪臭物質および菌類の捕集を可能とすることができる。請求項２記載の考案では、捕集した悪臭物質の分解および菌類の殺菌を可能とすることができる。
【００１４】
請求項３記載の考案では、多孔質炭素繊維フィルターが脱着可能であり、吸着能力飽和時にUVランプや太陽光の紫外線照射や洗浄による再生を可能とすることができる。
【考案を実施するための最良の形態】
【００１５】
以下、添付の図面を参照しながら、本考案の好ましい形態例について説明する。図１は空気清浄機能付パーティション１の一部破断正面図である。
【００１６】
空気清浄機能付パーティション１は、一対の表面板２，３と、この表面板２，３を保持する枠部４と、垂直に立って配置されるための脚部５とを備えている。ただし、壁埋め込み型パーティションの場合、脚部５は必要としない。表面板２の下方には吸込口６が設けられ、表面板２の上部には吹出口７が設けられている。図２は空気清浄機能付パーティション１の断面図である。図１および図２を参照して詳述すると、空気清浄機能付パーティション１は一対の表面板２，３の間に一定の幅の部材収容空間の下部領域８と上部領域９を備えていて、この幅の限られた部材収容空間８および９内に、空気清浄機能を有する部材が配置されている。
【００１７】
部材収容空間の下部領域８内には、図２で左から順に、比較的大きなごみや塵を除去するためのサランネットフィルター９および細かな塵、花粉、煙草の煙等を除去するプレフィルター１０が収容されるようになっている。サランネットフィルター１０およびプレフィルター１１は空気が透過可能であり、表面板２の吸込口６内部に配置されている。
【００１８】
空気取り入れ口である吸込口６は、除塵のためにフィルターを取り付けることが望ましく、またフィルターには、目の粗い除塵を目的としたサランネットフィルターと目の細かな除菌用のプレフィルターなどがあるが、目的に応じて適宜いずれかを選択してよい。また、脱臭を主目的にし、処理風量の増加を目的とするなら、サランネットフィルター１０およびプレフィルター１１を省略することも可能である。
【００１９】
部材収容空間の８および９の境界の、下部領域８内に送風機１２を設置している。送風機１２は、プロペラファン、クロスフローファン、シロッコファンなど色々有るが、いずれのファンを使用しても支障はない。しかし、装置が幅広くなることが多いために、プロペラファンが空気の通過の均一性を保つことから望ましい。また、装置に於いて、多孔質炭素繊維フィルター（綿状または不織布状）１４が、通路に対して平行にしても吸着するために、フィルターを平行に置く事ができ、そのため抵抗になりにくいために少ない風圧でよく、従って小さなファンで良く、静粛性を保ち易い。
【００２０】
また、送風機１２の位置は部材収容空間の下部領域８に設置することにこだわる必要は無く、上部領域９の上部や中部に設置しても良い。その際、多孔質炭素繊維フィルター１４およびUVランプ１３の配置を適宜調整して行う。
【００２１】
部材収容空間の上部領域９内の表面板２，３には脱臭フィルタとしての多孔質炭素繊維フィルター（綿状または不織布状）１４が収容されるようになっている。多孔質炭素繊維フィルター１４は、吸着が飽和した場合、再生のため、または交換のために取り外しが可能である。
【００２２】
多孔質炭素繊維フィルター１４が綿状の場合、綿状の多孔質炭素繊維を袋に入れてフィルターとする。ここで使用する多孔質炭素繊維は、通常細かな長い繊維が束状になっている。吸着や分解の性能を考えた時、繊維は１本１本がバラバラにほぐされた状態が望ましい。しかしながら、１本１本をほぐすことは大変な作業であるので、数ｃｍに切断して、かき回し、ある程度ほぐした状態で使用する。
【００２３】
綿状の多孔質炭素繊維を入れる袋は、多孔質炭素繊維が光をほぼすべて吸収し、透過しない程度の厚みに多孔質炭素繊維を詰め広げて使用するもので、多孔質炭素繊維の量は、最低でも１ｃｍ２あたり８〜10ｍｇが必要であるが、これ以上でも支障は無い。
【００２４】
袋を作る材質については、多孔質炭素繊維を袋の中に納め、かつ多くの光を通し、紫外線で劣化しないものが望ましく、金属製金網、耐紫外線性の性能を持つプラスチック網、不織布などが用いられる。
【００２５】
綿状の多孔質炭素繊維フィルター１４を部材収容空間の上方領域９内の表面板２，３に固定するのは両面テープやマジックテープ（登録商標）、金具などで使用できるが、保持する物であればこの限りではない。
【００２６】
多孔質炭素繊維フィルター１４が不織布状の場合、部材収容空間の上方領域９内の表面板２，３に固定するのは両面テープやマジックテープ（登録商標）、金具などで使用できるが、保持する物であればこの限りではない。
【００２７】
部材収容空間の上部領域９内の多孔質炭素繊維フィルター１４が臭気や菌類を分解するための光触媒を担持している場合、光触媒を活性化するためのUVランプ１３が空気の流れに対して横方向に複数配置されているが、このUVランプは縦方向でもよい。なお、UVランプは紫外線を発するものであれば、ブラックライト、殺菌灯、冷陰極ランプのいずれでもよい。
【実施例１】
【００２８】
多孔質炭素繊維の悪臭の脱臭試験を実施した。10ｍ３（床面積４ｍ２＊高さ2.5ｍ）の試験室にパーティション内部に設置する多孔質炭素繊維フィルターで、片面分の100ｇを設置し、アンモニアと硫化水素について評価試験を行った。
【００２９】
アンモニアでの試験は、100ｇの多孔質炭素繊維フィルターを設置した10ｍ３の試験室に28％アンモニア水を所定量注入し、加熱して気化させ、室内のアンモニア濃度が200ｐｐｍになるように調整した。24時間経過後アンモニア濃度を検地管で測定し、多孔質炭素繊維フィルターの吸着によって濃度が下がっている事を確認した後、再度アンモニアを注入し、室内のアンモニア濃度が200ｐｐｍになるように調整した。このようにしてアンモニア濃度低下確認後再注入を繰り返して行い、多孔質炭素繊維フィルターの吸着が飽和近くなるまで試験を実施した。その結果、52ｃｃ/ｇのアンモニアの吸着が確認された。
【００３０】
硫化水素での試験は、100ｇの多孔質炭素繊維フィルターを設置した10ｍ３の試験室に99％硫化水素ガスを所定量注入し、室内の硫化水素濃度が200ｐｐｍになるように調整した。24時間経過後硫化水素濃度を検地管で測定し、多孔質炭素繊維フィルターの吸着によって濃度が下がっている事を確認した後、再度硫化水素ガスを注入し、室内の硫化水素濃度が200ｐｐｍになるように調整した。このようにして硫化水素濃度低下確認後再注入を繰り返して行い、多孔質炭素繊維フィルターの吸着が飽和近くなるまで試験を実施した。その結果、1.8ｃｃ/ｇの硫化水素の吸着が確認された。
【００３１】
臭いが楽に判る濃度（臭気強度３）の状況が毎日生じている部屋を想定した場合、その時の濃度は表1のようになる。
【００３２】
【表１】
0003118531.tif 000003
（表１タイトル：臭いの強度とその時の濃度）
参考文献）悪臭法令研究会．2000．ハンドブック悪臭防止法四訂版．ぎょうせい．Ｐ.51．
【００３３】
10ｍ３の試験室におけるアンモニアと硫化水素の評価試験をまとめると、次のようになる。アンモニアと硫化水素共に、臭いが楽に判る状況（臭気強度３）の部屋で本考案のパーティションを設置した場合、多孔質炭素繊維フィルターは２枚使用するため、多孔質炭素繊維量は200ｇとなり、その場合１０畳の部屋で４ヶ月、15畳の部屋で３ヶ月程度脱臭効果が持続することが期待できる事が判明した。その結果を表２に示す。
【００３４】
【表２】
0003118531.tif 000004
（表２タイトル：悪臭物質脱臭対応日数）
【００３５】
上記結果は、光触媒を担持させていない多孔質炭素繊維フィルターについてである。光触媒が担持されている場合、吸着能力飽和時にUVランプや太陽光の紫外線照射による再生が可能である。また、UVランプが設置された装置内部に光触媒を担持させた多孔質炭素繊維フィルターを設置した場合、継続的な脱臭及び分解が可能である。
【図面の簡単な説明】
【００３６】
【図１】空気清浄機能付パーティション１の一部破断正面図
【図２】空気清浄機能付パーティション１の断面図
【符号の説明】
【００３７】
１  空気清浄機能付パーティション
２  表面板
３  表面板
４  枠部
５  脚部
６  吸込口
７  吹出口
８  部材収容空間下部領域
９  部材収容空間上部領域
10  サランネットフィルター
11  プレフィルター
12  送風機
13  UVランプ
14  多孔質炭素繊維フィルター
【図１】
0003118531.tif 000005
【図２】
0003118531.tif 000006
【手続補正書】
【提出日】平成17年10月13日(2005.10.13)
【手続補正１】
【補正対象書類名】実用新案登録請求の範囲
【補正対象項目名】全文
【補正方法】変更
【補正の内容】
【実用新案登録請求の範囲】
【請求項１】
綿状または不織布状に加工した多孔質炭素繊維フィルターを、空気の入り口と出口の付いたパーティションパネル内の対となる壁面に設置し、その間の空間に室内空気を通過させることにより、悪臭物質および菌類の捕集を可能なことを特徴とする装置。
【請求項２】
前記多孔質炭素繊維フィルターにチタン酸化物光触媒物質が担持され、光触媒機能を発揮するためのＵＶランプを組み合わせて、チタン酸化物光触媒を付けた綿状または不織布状の多孔質炭素繊維フィルターによって、悪臭物質の捕集および分解と菌類の捕集および殺菌を可能なことを特徴とする請求項１の装置。
【請求項３】
綿状または不織布状の、前記多孔質炭素繊維フィルターが脱着可能であり、吸着能力飽和時にＵＶランプや太陽光の紫外線照射や洗浄による再生が可能なことを特徴とする請求項１および請求項２の装置。